(57)【要約】【課題】磁気記録媒体に軟磁性の裏打ち層が組み込まれても、確実に磁気情報の読み出しを実現することができる磁気記憶装置を提供する。【解決手段】磁気記録媒体では基体の表面に軟磁性層が積層される。磁気記録層は軟磁性層の表面に積層される。こういった磁気記録媒体がいわゆる単磁極ヘッドに組み合わせられると、磁気記録層では確実に垂直方向に磁化は確立される。磁気情報の読み出しにあたって磁気記録媒体には磁気情報読み取り素子３５が向き合わせられる。磁気機構４８の働きで生成されるバイアス磁界は任意の１方向に沿って軟磁性層内を流通する。軟磁性層内では１方向に磁化は確立される。磁束の漏れは解消される。磁気情報読み取り素子３５から取り出される再生信号からノイズは取り払われる。確実な磁気情報の読み出しは実現される。【選択図】　　　　図４
2004062987.tif 000002
【特許請求の範囲】
【請求項１】
基体と、基体の表面に積層される軟磁性の裏打ち層と、裏打ち層の表面に積層されて、少なくとも２種類の磁化方向に基づき磁気情報を記憶する磁気記録層と、裏打ち層に、磁気記録層の保磁力よりも小さな磁界強度のバイアス磁界を流通させる磁気機構とを備えることを特徴とする磁気記憶装置。
【請求項２】
請求項１に記載の磁気記憶装置において、前記基体、裏打ち層および磁気記録層を収容する筐体をさらに備え、前記磁気機構は筐体に支持されることを特徴とする磁気記憶装置。
【請求項３】
スライダ本体と、スライダ本体に搭載されて、磁気記録媒体から作用する磁界の向きを検出する磁気情報読み取り素子と、スライダ本体に搭載されて、磁気情報読み取り素子で磁界が検出される際に磁気記録媒体上にバイアス磁界を形成する磁気機構とを備えることを特徴とするヘッドスライダ。
【請求項４】
請求項３に記載のヘッドスライダにおいて、前記磁気機構は前記磁気情報読み取り素子よりもスライダ本体の空気流入端側に配置されることを特徴とするヘッドスライダ。
【請求項５】
請求項３または４に記載のヘッドスライダにおいて、前記磁気機構は、スライダ本体の空気軸受け面に臨むコアと、コアに巻き付けられる導電性コイルとを備えることを特徴とするヘッドスライダ。
【発明の詳細な説明】
【０００１】
【発明の属する技術分野】
本発明は、磁気ディスク駆動装置や磁気テープ駆動装置といった磁気記憶装置に関し、特に、基体と、基体の表面に積層される軟磁性の裏打ち層と、裏打ち層の表面に積層されて、少なくとも２種類の磁化方向に基づき磁気情報を記憶する磁気記録層とを備える磁気記憶装置に関する。
【０００２】
【従来の技術】
いわゆる垂直記録用の磁気記録媒体に単磁極ヘッドを組み合わせた磁気記憶装置は広く知られる。この場合、磁気記録媒体では磁気記録層は軟磁性層で裏打ちされる。磁気情報の書き込みにあたって、単磁極ヘッドと軟磁性層との間には磁束の循環経路が確立される。単磁極ヘッドから漏れ出る磁束はいわゆる垂直方向に磁気記録層内を流通することができる。こうして磁気記録層では確実に垂直方向に磁化は確立されることができる。しかも、循環経路に沿って比較的に強い書き込み磁界すなわち記録磁界は確保されることができる。
【０００３】
【発明が解決しようとする課題】
磁気記録媒体の軟磁性層では磁区が形成される。個々の磁区の周囲から磁束は漏れ出る。こういった磁束は、磁気記録層で生成される磁束に重なり合う。したがって、磁気情報の読み出しにあたって例えば磁気抵抗効果素子といった磁気情報読み出し素子から出力される再生信号にはノイズが紛れ込んでしまう。確実な磁気情報の読み出しは妨げられてしまう。
【０００４】
本発明は、上記実状に鑑みてなされたもので、磁気記録媒体に軟磁性の裏打ち層が組み込まれても、確実に磁気情報の読み出しを実現することができる磁気記憶装置を提供することを目的とする。
【０００５】
【課題を解決するための手段】
上記目的を達成するために、第１発明によれば、基体と、基体の表面に積層される軟磁性の裏打ち層と、裏打ち層の表面に積層されて、少なくとも２種類の磁化方向に基づき磁気情報を記憶する磁気記録層と、裏打ち層に、磁気記録層の保磁力よりも小さな磁界強度のバイアス磁界を流通させる磁気機構とを備えることを特徴とする磁気記憶装置が提供される。
【０００６】
こういった磁気記憶装置では、基体、裏打ち層および磁気記録層で磁気記録媒体は構成される。例えば、磁気情報の書き込みにあたっていわゆる単磁極ヘッドすなわち磁気情報書き込み素子が磁気記録媒体に向き合わせられると、裏打ち層は単磁極ヘッドと協働して磁束の循環経路を形成する。単磁極ヘッドから漏れ出る磁束は、基体の表面に直交する垂直方向に沿って裏打ち層まで導かれる。磁束は裏打ち層内を流通する。その後、磁束は再び垂直方向に沿って単磁極ヘッドまで導かれる。こうして磁気記録層上には磁気記録層の保磁力よりも大きな磁界強度で磁界が形成されることができる。磁気記録層では確実に垂直方向に磁化は確立される。磁束の向きに応じて２値の磁気情報は磁気記録層に記憶される。ただし、磁気情報の記憶にあたって磁気記録媒体の磁気記録層では基体の表面に沿っていわゆる面内方向に磁化が確立されてもよい。
【０００７】
磁気情報の読み出しにあたって磁気記録媒体には磁気情報読み取り素子が向き合わせられる。このとき、磁気機構の働きで生成されるバイアス磁界は任意の１方向に沿って裏打ち層内を流通する。裏打ち層内では１方向に磁化は確立される。すなわち、単磁区化は実現される。したがって、磁束の漏れは解消される。磁気情報読み取り素子から取り出される再生信号からノイズは取り払われることができる。確実な磁気情報の読み出しは実現される。
【０００８】
しかも、バイアス磁界の磁界強度は磁気記録層の保磁力よりも小さく設定される。こういった磁界強度によれば、たとえ磁気記録層がバイアス磁界に曝されても磁気記録層で磁化の反転は引き起こされない。既存の磁気情報は確実に保持されることができる。
【０００９】
磁気記憶装置は、ヘッドスライダと、ヘッドスライダに搭載されて、磁気記録層から作用する磁界の向きを検出する磁気情報読み取り素子とをさらに備えてもよい。この場合には、磁気機構はヘッドスライダに搭載されてもよい。こういったヘッドスライダには、磁気記録層の保磁力よりも大きな磁界強度で磁気記録層上に磁界を形成する磁気情報書き込み素子がさらに搭載されてもよい。その他、磁気機構は、磁気記録媒体を収容する筐体に支持されてもよい。
【００１０】
第２発明によれば、スライダ本体と、スライダ本体に搭載されて、磁気記録媒体から作用する磁界の向きを検出する磁気情報読み取り素子と、スライダ本体に搭載されて、磁気情報読み取り素子で磁界が検出される際に磁気記録媒体上にバイアス磁界を形成する磁気機構とを備えることを特徴とするヘッドスライダが提供される。
【００１１】
こういったヘッドスライダは、例えば、基体と、基体の表面に積層される軟磁性の裏打ち層と、裏打ち層の表面に積層されて、少なくとも２種類の磁化方向に基づき磁気情報を記憶する磁気記録層とを備える磁気記録媒体に組み合わせられて使用されることができる。磁気情報の読み出しにあたって磁気記録媒体に磁気情報読み取り素子が向き合わせられると、磁気機構の働きで生成されるバイアス磁界は任意の１方向に沿って裏打ち層内を流通する。裏打ち層内では１方向に磁化は確立される。すなわち、単磁区化は実現される。したがって、磁束の漏れは解消される。磁気情報読み取り素子から取り出される再生信号からノイズは取り払われることができる。確実な磁気情報の読み出しは実現される。
【００１２】
このとき、バイアス磁界の磁界強度は磁気記録層の保磁力よりも小さく設定されることが望まれる。こういった磁界強度によれば、たとえ磁気記録層がバイアス磁界に曝されても磁気記録層で磁化の反転は引き起こされない。既存の磁気情報は確実に保持されることができる。
【００１３】
第３発明によれば、スライダ本体と、スライダ本体に搭載されて、磁気記録媒体の保磁力よりも大きな磁界強度で磁気記録媒体上に磁界を形成する磁気情報書き込み素子と、スライダ本体に搭載されて、磁気記録媒体から作用する磁界の向きを検出する磁気情報読み取り素子と、スライダ本体に搭載されて、磁気記録媒体の保磁力よりも小さな磁界強度で磁気記録媒体上に磁界を形成する補助磁気機構とを備えることを特徴とするヘッドスライダが提供される。
【００１４】
こういったヘッドスライダは、前述と同様に、基体と、基体の表面に積層される軟磁性の裏打ち層と、裏打ち層の表面に積層されて、少なくとも２種類の磁化方向に基づき磁気情報を記憶する磁気記録層とを備える磁気記録媒体に組み合わせられて使用されることができる。磁気情報の書き込みにあたって磁気情報書き込み素子が磁気記録媒体に向き合わせられると、裏打ち層は磁気情報書き込み素子と協働して磁束の循環経路を形成する。磁気情報書き込み素子から漏れ出る磁束は、基体の表面に直交する垂直方向に沿って裏打ち層まで導かれる。磁束は裏打ち層内を流通する。その後、磁束は再び垂直方向に沿って磁気情報書き込み素子まで導かれる。こうして磁気記録層上には磁気記録層の保磁力よりも大きな磁界強度で磁界が形成されることができる。磁気記録層では確実に垂直方向に磁化は確立される。磁束の向きに応じて２値の磁気情報は磁気記録層に記憶される。その他、磁気情報の記憶にあたって磁気記録媒体の磁気記録層では基体の表面に沿っていわゆる面内方向に磁化が確立されてもよい。
【００１５】
磁気情報の読み出しにあたって磁気記録媒体には磁気情報読み取り素子が向き合わせられる。このとき、補助磁気機構の働きで生成される磁界は任意の１方向に沿って裏打ち層内を流通する。裏打ち層内では１方向に磁化は確立される。すなわち、単磁区化は実現される。したがって、磁束の漏れは解消される。磁気情報読み取り素子から取り出される再生信号からノイズは取り払われることができる。確実な磁気情報の読み出しは実現される。
【００１６】
しかも、磁界の磁界強度は磁気記録層の保磁力よりも小さく設定される。こういった磁界強度によれば、たとえ磁気記録層が補助磁気機構の磁界に曝されても磁気記録層で磁化の反転は引き起こされない。既存の磁気情報は確実に保持されることができる。
【００１７】
いずれのヘッドスライダでも、磁気機構（補助磁気機構）は磁気情報読み取り素子よりもスライダ本体の空気流入端側に配置されてもよい。こうした場合には、磁気情報読み取り素子の通過に先立って磁気機構（補助磁気機構）は裏打ち層に磁界を作用させる。磁界の通過に続いて磁気情報読み取り素子は目標の位置で磁気記録層を通過する。一般に、ヘッドスライダと磁気記録媒体との間には高速度で相対変位が引き起こされることから、磁界の通過と磁気情報読み取り素子の通過との間にはほとんど時間差は生じない。磁気機構（補助磁気機構）の通過後であっても所定の微小時間内には裏打ち層で磁区の消失は維持されると考えられる。したがって、磁界の通過後に磁気情報読み取り素子が磁気記録層に向き合わせられても、磁気情報読み取り素子から取り出される再生信号からノイズは取り払われることができる。特に、こういった構造によれば、磁気情報読み取り素子に組み込まれる磁性体に影響されずに、磁気機構は裏打ち層との間で確実に磁束の循環経路を確立することができる。
【００１８】
以上のような磁気機構は例えば電磁コイルから構成されることが望まれる。電磁コイルの採用によれば、電磁コイルに供給される電流のオンオフに基づきバイアス磁界の発生および消失は制御されることができる。磁気情報の読み出し時にのみバイアス磁界は生成されることができる。したがって、余分な磁界に基づく磁歪の発生は極力回避されることができる。前述のように磁気機構がヘッドスライダに搭載される場合には、電磁コイルは、スライダ本体の空気軸受け面に臨むコアと、コアに巻き付けられる導電性コイルとを備えればよい。導電性コイルに電流が供給されると、前述のバイアス磁界は形成されることができる。
【００１９】
【発明の実施の形態】
以下、添付図面を参照しつつ本発明の一実施形態を説明する。
【００２０】
図１は磁気記憶装置の一具体例すなわちハードディスク駆動装置（ＨＤＤ）１１の内部構造を概略的に示す。このＨＤＤ１１は、例えば平たい直方体の内部空間を区画する箱形の筐体本体１２を備える。収容空間には、記録媒体としての１枚以上の磁気ディスク１３が収容される。磁気ディスク１３はスピンドルモータ１４の回転軸に装着される。スピンドルモータ１４は、例えば７２００ｒｐｍや１００００ｒｐｍといった高速度で磁気ディスク１３を回転させることができる。筐体本体１２には、筐体本体１２との間で収容空間を密閉する蓋体すなわちカバー（図示されず）が結合される。
【００２１】
収容空間には、垂直方向に延びる支軸１５回りで揺動するキャリッジ１６がさらに収容される。このキャリッジ１６は、支軸１５から水平方向に延びる剛体の揺動アーム１７と、この揺動アーム１７の先端に取り付けられて揺動アーム１７から前方に延びる弾性サスペンション１８とを備える。周知の通り、弾性サスペンション１８の先端では、いわゆるジンバルばね（図示されず）の働きで浮上ヘッドスライダ１９は片持ち支持される。浮上ヘッドスライダ１９には、磁気ディスク１３の表面に向かって弾性サスペンション１８から押し付け力が作用する。磁気ディスク１３の回転に基づき磁気ディスク１３の表面で生成される気流の働きで浮上ヘッドスライダ１９には浮力が作用する。弾性サスペンション１８の押し付け力と浮力とのバランスで磁気ディスク１３の回転中に比較的に高い剛性で浮上ヘッドスライダ１９は浮上し続けることができる。
【００２２】
こうした浮上ヘッドスライダ１９の浮上中に、キャリッジ１６が支軸１５回りで揺動すると、浮上ヘッドスライダ１９は半径方向に磁気ディスク１３の表面を横切ることができる。こうした移動に基づき浮上ヘッドスライダ１９は磁気ディスク１３上の所望の記録トラックに位置決めされる。このとき、キャリッジ１６の揺動は例えばボイスコイルモータ（ＶＣＭ）といった動力源２１の働きを通じて実現されればよい。周知の通り、複数枚の磁気ディスク１３が筐体本体１２内に組み込まれる場合には、隣接する磁気ディスク１３同士の間に２つの弾性サスペンション１８が配置される。
【００２３】
図２は磁気ディスク１３の断面構造を概略的に示す。この磁気ディスク１３は、基板２２の表裏面に広がる軟磁性層２３を備える。基板２２は、例えばディスク形のＳｉ本体と、Ｓｉ本体の表裏面に広がる非晶質のＳｉＯ２　膜とで構成されてもよく、ガラスやアルミニウムから構成されてもよい。基板２２は本発明の基体として機能する。軟磁性層２３は例えばスパッタリングに基づき基板２２の表面に積層形成されればよい。軟磁性層２３は例えばＮｉＦｅといった金属材料から構成されればよい。
【００２４】
軟磁性層２３の表面には磁気記録層２４が広がる。磁気記録層２４では、例えば基板２２の表面に直交する垂直方向に磁化容易軸が設定されればよい。したがって、磁気記録層２４では、磁化容易軸に沿って相反する２方向に磁化が確立されることができる。こうした２種類の磁化方向に基づき２値の磁気情報は記憶される。後述されるように、軟磁性層２３は磁気記録層２４の裏打ち層として機能する。
【００２５】
磁気記録層２４は例えばＣｏＣｒ合金から構成されればよい。この場合には、ＣｏＣｒ合金の積層に先立って軟磁性層２３の表面に例えばＴｉ下地層が積層形成される。Ｔｉ下地層はＣｏＣｒ合金の結晶配向を制御する。その結果、前述のように磁気記録層２４の磁化容易軸は垂直方向に設定される。その他、磁気記録層２４には金属薄膜の積層体や非晶質金属体が用いられてもよい。金属薄膜の積層体では、例えばＣｏ薄膜およびＰｄ薄膜が交互に積層されればよい。
【００２６】
磁気記録層２４の表面は例えば保護膜２５で覆われる。保護膜２５には例えばダイヤモンドライクカーボン（ＤＬＣ）といった硬質材料が用いられればよい。加えて、保護膜２５の表面には潤滑剤膜が形成されてもよい。
【００２７】
図３は浮上ヘッドスライダ１９の一具体例を示す。この浮上ヘッドスライダ１９は、平たい直方体に形成されるＡｌ２　Ｏ３　−ＴｉＣ（アルチック）製のスライダ本体２６と、このスライダ本体２６の空気流出側端面に接合されて、読み出し書き込みヘッド２７を内蔵するＡｌ２　Ｏ３　（アルミナ）製のヘッド素子内蔵膜２８とを備える。スライダ本体２６およびヘッド素子内蔵膜２８には、磁気ディスク１３に対向する媒体対向面すなわち浮上面２９が規定される。磁気ディスク１３の回転に基づき生成される気流３１は浮上面２９に受け止められる。
【００２８】
浮上面２９には、空気流入端から空気流出端に向かって延びる２筋のレール３２が形成される。各レール３２の頂上面にはいわゆるＡＢＳ（空気軸受け面）３３が規定される。ＡＢＳ３３では気流３１の働きに応じて前述の浮力が生成される。ヘッド素子内蔵膜２８に埋め込まれた読み出し書き込みヘッド２７は、後述されるように、ＡＢＳ３３で前端を露出させる。ただし、ＡＢＳ３３の表面には、読み出し書き込みヘッド２７の前端に覆い被さるＤＬＣ（ダイヤモンドライクカーボン）保護膜が形成されてもよい。なお、浮上ヘッドスライダ１９の形態はこういった形態に限られるものではない。
【００２９】
図４に示されるように、読み出し書き込みヘッド２７は、薄膜磁気ヘッドといった磁気情報書き込み素子３４と磁気抵抗効果（ＭＲ）素子といった磁気情報読み取り素子３５とを備える。磁気情報書き込み素子３４は、周知の通り、例えば導電コイルパターン（図示されず）で生起される磁界を利用して磁気ディスク１３に２値の磁気情報を書き込むことができる。磁気情報読み取り素子３５は、周知の通り、磁気ディスク１３から作用する磁界に応じて変化する抵抗に基づき２値の磁気情報を検出することができる。磁気情報書き込み素子３４および磁気情報読み取り素子３５は、前述のヘッド素子内蔵膜２８の上側半層すなわちオーバーコート膜を構成するＡｌ２　Ｏ３　（アルミナ）膜３６と、下側半層すなわちアンダーコート膜を構成するＡｌ２　Ｏ３　（アルミナ）膜３７との間に挟み込まれる。
【００３０】
磁気情報書き込み素子３４は、ＡＢＳ３３で前端を露出させる上部磁極層３８と、同様にＡＢＳ３３で前端を露出させる下部磁極層３９とを備える。上部および下部磁極層３８、３９は例えばＦｅＮやＮｉＦｅから形成されればよい。上部および下部磁極層３８、３９は協働して磁気情報書き込み素子３４の磁性コアを構成する。上部磁極層３８の前端と下部磁極層３９の前端との間には例えばＡｌ２　Ｏ３　（アルミナ）製の非磁性ギャップ層４１が挟み込まれる。非磁性ギャップ層４１はＡＢＳ３３で上部磁極層３８と下部磁極層３９とを磁気的に分離する。
【００３１】
磁気情報読み取り素子３５は例えば任意の基準面４２上でＡＢＳ３３に沿って広がる電磁変換膜４３を備える。電磁変換膜４３は例えばスピンバルブ膜といった巨大磁気抵抗効果（ＧＭＲ）膜から構成されればよい。電磁変換膜４３は基準面４２上でＡＢＳ３３に沿って１対の磁区制御膜４４に挟まれる。周知の通りに、こういった磁区制御膜４４はＡＢＳ３３に沿って電磁変換膜４３を横切るバイアス磁界を形成する。磁区制御膜４４の働きでスピンバルブ膜中の自由側磁性層では１方向に磁化は揃えられる。基準面４２は例えばスライダ本体２６の空気流出側端面に平行に規定されればよい。電磁変換膜４３にはトンネル接合膜その他の磁気抵抗効果膜が用いられてもよい。
【００３２】
電磁変換膜４３は上下１対のシールド層４５、４６に挟み込まれる。シールド層４５、４６は例えばＮｉＦｅといった軟磁性材料から構成されればよい。上下のシールド層４５、４６の間隔は磁気ディスク１３上で記録トラックの線方向に磁気記録の分解能を決定する。各シールド層４５、４６と電磁変換膜４３とは絶縁層４７で電気的に分離される。
【００３３】
図４から明らかなように、スライダ本体２６には磁気機構４８が搭載される。この磁気機構４８は、例えば磁気情報読み取り素子３５を挟み込む１対の磁極４９ａ、４９ｂから構成されればよい。この磁気機構４８によれば、一方の磁極４９ａから他方の磁極４９ｂに向かって所定のバイアス磁界が形成される。このバイアス磁界はＡＢＳ３３から漏れ出る。磁極４９ａ、４９は例えば硬磁性材料（いわゆるハード磁性材料）から構成されればよい。磁極４９ａ、４９ｂは予め個別に着磁されればよい。
【００３４】
図５に示されるように、磁気情報の書き込みにあたって磁気情報書き込み素子３４は磁気ディスク１３の表面に向き合わせられる。このとき、磁気情報書き込み素子３４の磁性コアすなわち上部磁極層３８および下部磁極層３９は磁気ディスク１３側の軟磁性層２３と協働して磁束５１の循環経路を形成する。言い換えれば、例えば上部磁極層３８の先端から漏れ出る磁束５１は、基板２２の表面に直交する垂直方向に沿って軟磁性層２３まで導かれる。磁束５１は軟磁性層２３内を流通する。その後、磁束５１は再び垂直方向に沿って下部磁極層３９まで導かれる。こうして磁気記録層２４上には磁化容易軸に沿って磁気記録層２４の保磁力よりも大きな磁界強度で磁界が形成される。磁気記録層２４では確実に垂直方向に磁化は確立される。磁束５１の向きに応じて２値の磁気情報は磁気記録層２４に記憶される。このように誘導書き込みヘッド素子３４はいわゆる単磁極ヘッドに構成される。
【００３５】
磁気情報の読み出しにあたって磁気情報読み取り素子３５が磁気ディスク１３の表面に向き合わせられると、電磁変換膜４３では、周知の通り、磁気ディスク１３の磁気記録層２４から作用する磁界の向きに応じて自由側磁性層の磁化方向は回転する。こうして自由側磁性層の磁化方向が回転すると、電磁変換膜４３の電気抵抗は大きく変化する。したがって、電磁変換膜４３にセンス電流が供給されると、電磁変換膜４３から取り出される電気信号のレベル（例えば電圧値）は電気抵抗の変化に応じて変化する。磁気記録層２４から作用する磁界の向きは検出される。こうしてレベルの変化に応じて２値の磁気情報は判別される。
【００３６】
このとき、図６に示されるように、磁気機構４８は磁極４９ａから磁極４９ｂに向かってバイアス磁界５２を形成する。バイアス磁界５２の磁束は任意の１方向に沿って軟磁性層２３内を流通する。その結果、軟磁性層２３内では１方向に磁化Ｍｇは確立される。すなわち、単磁区化は実現される。したがって、磁束の漏れは解消される。電磁変換膜４３から取り出される電気信号からノイズは取り払われることができる。確実な磁気情報の読み出しは実現される。本発明者の検証によれば、軟磁性層２３内に磁区が形成されると、磁気情報読み取り素子３５から出力される電気信号にノイズが紛れ込むことが確認された。こうしたノイズの影響で確実な磁気情報の読み出しは阻害されてしまう。
【００３７】
ここで、バイアス磁界５２の磁界強度は磁気記録層２４の保磁力よりも小さく設定される。こういった磁界強度によれば、たとえ磁気記録層２４がバイアス磁界５２に曝されても磁気記録層２４で磁化の反転は引き起こされない。既存の磁気情報は確実に保持されることができる。したがって、バイアス磁界５２では、少なくとも磁気記録層２４の磁化容易軸の方向に磁気記録層２４の保磁力よりも小さな磁界強度が設定されればよい。すなわち、バイアス磁界５２の磁界強度は、磁気記録層２４の磁化容易軸に沿った１方向成分で磁気記録層２４の保磁力よりも小さく設定されればよい。
【００３８】
磁気機構４８の形成にあたって、磁極４９ａ、４９ｂは、磁気情報読み取り素子３５や磁気情報書き込み素子３４の形成時に同時にウェハー上で積層形成されてもよく、ＡＢＳ３３の形成後にＡＢＳ３３に穿たれる受け入れ穴に埋め込まれてもよい。その他、個々の磁極４９ａ、４９ｂを構成する磁性片はレール３２の両側に貼り付けられてもよい。磁極４９ａ、４９ｂはいかなる方法で実現されてもよい。
【００３９】
磁気機構４８では、例えば図７に示されるように、バイアス磁界５２の形成にあたって電磁コイル５３が用いられてもよい。電磁コイル５３は、個々の磁極４９ａ、４９ｂでＡＢＳ３３に臨む磁性コアと、磁性コアに巻き付けられる導電性コイルとで構成されればよい。導電性コイルに電流が供給されると、前述のバイアス磁界５２は形成されることができる。こういった電磁コイル５３の採用によれば、電磁コイル５３に供給される電流のオンオフに基づきバイアス磁界５２の発生および消失は制御されることができる。磁気情報の読み出し時にのみバイアス磁界は生成されることができる。したがって、余分な磁界に基づく磁歪の発生は極力回避されることができる。
【００４０】
その他、磁気機構４８は、例えば図８に示されるように、ＨＤＤ１１の筐体本体１２に支持されてもよい。こういった磁気機構４８は、例えば磁気ディスク１３の半径方向にバイアス磁界５４を生成する硬磁性体５５で構成されればよい。こういった構成によれば、浮上ヘッドスライダ１９の設計変更を経ずに筐体本体１２内に比較的に簡単に磁気機構４８は配置されることができる。加えて、こういった硬磁性体５５には、磁気ディスク１３の半径線や直径線に沿って磁束の循環を促す逆の磁極（図示されず）が組み合わせられてもよい。こうした磁極は例えば磁気ディスク１３の中心付近や直径線の反対側に配置されればよい。磁気機構４８には、例えば図９に示されるように、硬磁性体５５に代えて電磁コイル５６が用いられてもよい。いずれの場合でも、磁気ディスク１３内の軟磁性層２３で磁化が１方向に揃えられればよい。
【００４１】
図１０に示されるように、磁気機構４８は、磁気情報読み取り素子３５よりもスライダ本体２６の空気流入端側に配置されてもよい。このとき、磁気機構４８すなわち補助磁気機構は、前述の磁気情報書き込み素子３４と同様に、ＡＢＳ３３で前端を露出させる上側磁極層５７と、同様にＡＢＳ３３で前端を露出させる下側磁極層５８とを備えればよい。上側磁極層５７および下側磁極層５８は協働して磁気機構４８の磁性コアを構成する。この磁性コアには、磁気情報書き込み素子３４と同様に、薄膜コイルパターン（図示されず）の働きで磁束が流通する。上側磁極層５７および下側磁極層５８の間に挟まれる非磁性ギャップ層５９の働きで、磁性コアを流通する磁束はＡＢＳ３３から漏れ出る。こうして漏れ出る磁束で前述のバイアス磁界は形成されることができる。
【００４２】
こうした磁気機構４８によれば、磁気情報読み取り素子３５すなわち電磁変換膜４３の通過に先立って磁気機構４８は軟磁性層２３にバイアス磁界を作用させる。バイアス磁界の通過に続いて電磁変換膜４３は目標の位置で磁気記録層２４を通過する。磁気ディスク１３は高速度で回転することから、バイアス磁界の通過と電磁変換膜４３の通過との間にはほとんど時間差は生じない。磁気機構４８の通過後であっても所定の微小時間内には軟磁性層２４で磁区の消失は維持されると考えられる。したがって、バイアス磁界の通過後に電磁変換膜４３が磁気記録層２４に向き合わせられても、電磁変換膜４３から取り出される電気信号からノイズは取り払われることができる。特に、こういった構造によれば、磁気情報読み取り素子３５に組み込まれる磁性体に影響されずに、磁気機構４８は軟磁性層２３との間で確実に磁束の循環経路を確立することができる。
【００４３】
こういった場合、例えば磁気機構４８は磁気情報書き込み素子３４を兼ねてもよい。この磁気機構４８では、磁気情報の書き込み時と磁気情報の読み出し時とで薄膜コイルパターンに供給される電流値は変更されればよい。こういった電流値の変更によれば、磁気記録層２４の保磁力よりも大きな磁界強度の書き込み磁界と、磁気記録層２４の保磁力よりも小さな磁界強度のバイアス磁界とは相互に区別されることができる。
【００４４】
なお、磁気機構４８は、前述のようなＨＤＤ１１に組み込まれることができるだけでなく、磁気記録層に軟磁性層を裏打ちするあらゆる磁気記憶装置に組み込まれて利用されることができる。
【００４５】
（付記１）　基体と、基体の表面に積層される軟磁性の裏打ち層と、裏打ち層の表面に積層されて、少なくとも２種類の磁化方向に基づき磁気情報を記憶する磁気記録層と、裏打ち層に、磁気記録層の保磁力よりも小さな磁界強度のバイアス磁界を流通させる磁気機構とを備えることを特徴とする磁気記憶装置。
【００４６】
（付記２）　付記１に記載の磁気記憶装置において、ヘッドスライダと、ヘッドスライダに搭載されて、磁気記録層から作用する磁界の向きを検出する磁気情報読み取り素子とをさらに備え、前記磁気機構はヘッドスライダに搭載されることを特徴とする磁気記憶装置。
【００４７】
（付記３）　付記１に記載の磁気記憶装置において、ヘッドスライダと、ヘッドスライダに搭載されて、磁気記録層の保磁力よりも大きな磁界強度で磁気記録層上に磁界を形成する磁気情報書き込み素子と、ヘッドスライダに搭載されて、磁気記録層から作用する磁界の向きを検出する磁気情報読み取り素子とをさらに備え、前記磁気機構はヘッドスライダに搭載されることを特徴とする磁気記憶装置。
【００４８】
（付記４）　付記１に記載の磁気記憶装置において、前記基体、裏打ち層および磁気記録層を収容する筐体をさらに備え、前記磁気機構は筐体に支持されることを特徴とする磁気記憶装置。
【００４９】
（付記５）　スライダ本体と、スライダ本体に搭載されて、磁気記録媒体から作用する磁界の向きを検出する磁気情報読み取り素子と、スライダ本体に搭載されて、磁気情報読み取り素子で磁界が検出される際に磁気記録媒体上にバイアス磁界を形成する磁気機構とを備えることを特徴とするヘッドスライダ。
【００５０】
（付記６）　付記５に記載のヘッドスライダにおいて、前記磁気機構は前記磁気情報読み取り素子よりもスライダ本体の空気流入端側に配置されることを特徴とするヘッドスライダ。
【００５１】
（付記７）　付記５または６に記載のヘッドスライダにおいて、前記磁気機構は、スライダ本体の空気軸受け面に臨むコアと、コアに巻き付けられる導電性コイルとを備えることを特徴とするヘッドスライダ。
【００５２】
（付記８）　スライダ本体と、スライダ本体に搭載されて、磁気記録媒体の保磁力よりも大きな磁界強度で磁気記録媒体上に磁界を形成する磁気情報書き込み素子と、スライダ本体に搭載されて、磁気記録媒体から作用する磁界の向きを検出する磁気情報読み取り素子と、スライダ本体に搭載されて、磁気記録媒体の保磁力よりも小さな磁界強度で磁気記録媒体上に磁界を形成する補助磁気機構とを備えることを特徴とするヘッドスライダ。
【００５３】
（付記９）　付記８に記載のヘッドスライダにおいて、前記補助磁気機構は前記磁気情報読み取り素子よりもスライダ本体の空気流入端側に配置されることを特徴とするヘッドスライダ。
【００５４】
（付記１０）　付記８または９に記載のヘッドスライダにおいて、前記補助磁気機構は、スライダ本体の空気軸受け面に臨むコアと、コアに巻き付けられる導電性コイルとを備えることを特徴とするヘッドスライダ。
【００５５】
【発明の効果】
以上のように本発明によれば、磁気記録媒体に軟磁性の裏打ち層が組み込まれても、確実に磁気情報の読み出しは実現されることができる。
【図面の簡単な説明】
【図１】磁気記憶装置の一具体例に係るハードディスク駆動装置（ＨＤＤ）の内部構造を概略的に示す平面図である。
【図２】磁気ディスクの内部構造を概略的に示す部分垂直断面図である。
【図３】一具体例に係る浮上ヘッドスライダの構造を概略的に示す拡大斜視図である。
【図４】ＡＢＳ（空気軸受け面）で観察される読み出し書き込みヘッドおよび磁気機構の様子を概略的に示す正面図である。
【図５】磁気情報の書き込みにあたって書き込み磁界の様子を概念的に示す浮上ヘッドスライダの拡大部分断面図である。
【図６】図５の矢印６から観察される拡大部分断面図に相当し、磁気情報の読み出しにあたってバイアス磁界の様子を概念的に示す図である。
【図７】図６に対応し、一変形例に係る磁気機構の構造を概略的に示す浮上ヘッドスライダの拡大部分断面図である。
【図８】図１に対応し、他の変形例に係る磁気機構の構造を概略的に示すＨＤＤの平面図である。
【図９】図１に対応し、さらに他の変形例に係る磁気機構の構造を概略的に示すＨＤＤの平面図である。
【図１０】図４に対応し、さらに他の変形例に係る磁気機構の構造を概略的に示す正面図である。
【符号の説明】
１１　磁気記憶装置としてのハードディスク駆動装置（ＨＤＤ）、１２　筐体としての筐体本体、１３　磁気記録媒体としての磁気ディスク、１９　ヘッドスライダ、２２　基体としての基板、２３　裏打ち層（軟磁性層）、２４　磁気記録層、２６　スライダ本体、３３　空気軸受け面（ＡＢＳ）、３４　磁気情報書き込み素子、３５　磁気情報読み取り素子、４８　磁気機構（補助磁気機構）、４９ａ　コアとしての磁極、４９ｂ　コアとしての磁極、５２　バイアス磁界、５３　導電性コイルと含む電磁コイル。
【図１】
2004062987.tif 000003
【図２】
2004062987.tif 000004
【図３】
2004062987.tif 000005
【図４】
2004062987.tif 000006
【図５】
2004062987.tif 000007
【図６】
2004062987.tif 000008
【図７】
2004062987.tif 000009
【図８】
2004062987.tif 000010
【図９】
2004062987.tif 000011
【図１０】
2004062987.tif 000012